(57)【特許請求の範囲】
【請求項１】
複数の映像・音声データを独立に記録再生する第１の映像・音声データ記録再生手段と、
上記複数の映像・音声データを圧縮／伸長して独立に記録再生する第２の映像・音声データ記録再生手段と、
上記第１の映像・音声データ記録再生手段と上記第２の映像・音声データ記録再生手段から再生出力される複数の独立した同一の映像・音声データを切り換える切り換え手段と、
上記第１の映像・音声データ記録再生手段と上記第２の映像・音声データ記録再生手段に複数の独立した同一の映像・音声データを記録再生させると共に、上記第１の映像・音声データ記録再生手段と上記第２の映像・音声データ記録再生手段から同時に再生される同一の映像・音声データのいずれかを上記切り換え手段に切り換えさせる制御手段とを備え、
上記第１の映像・音声データ記録再生手段にのみ複数の映像・音声データを独立に入力して記録再生し、得られた複数の再生出力の内の記録確認用の映像・音声データ出力を上記第２の映像・音声データ記録再生手段に入力して記録再生し、得られた複数の再生出力の内の記録確認用の映像・音声データを監視用に用いることを特徴とする映像・音声データ送出装置。
【請求項２】
上記制御手段は、上記切り換え手段による上記第１の映像・音声データ記録再生手段の所定のチャンネルからこれに対応する上記第２の映像・音声データ記録再生手段の所定のチャンネルへの切り換えを制御することを特徴とする請求項１記載の映像・音声データ送出装置。
【請求項３】
上記制御手段は、上記切り換え手段による上記第１の映像・音声データ記録再生手段から上記第２の映像・音声データ記録再生手段への切り換えを制御することを特徴とする請求項１記載の映像・音声データ送出装置。
【請求項４】
上記制御手段は、上記切り換え手段によるチャンネル毎の切り換えと上記映像・音声データ記録再生手段毎の切り換えを制御することを特徴とする請求項１記載の映像・音声データ送出装置。
【請求項５】
複数の映像・音声データを第１の圧縮／伸長率にて独立に記録再生する第１の映像・音声データ記録再生手段と、
上記複数の映像・音声データを上記第１の圧縮／伸長率よりも大きな圧縮／伸長率にて独立に記録再生する第２の映像・音声データ記録再生手段と、
上記第１の映像・音声データ記録再生手段と上記第２の映像・音声データ記録再生手段から再生出力される複数の独立した同一の映像・音声データを切り換える切り換え手段と、
上記第１の映像・音声データ記録再生手段と上記第２の映像・音声データ記録再生手段に複数の独立した同一の映像・音声データを記録再生させると共に、上記第１の映像・音声データ記録再生手段と上記第２の映像・音声データ記録再生手段から同時に再生される同一の映像・音声データのいずれかを上記切り換え手段に切り換えさせる制御手段とを備え、
上記第１の映像・音声データ記録再生手段にのみ複数の映像・音声データを独立に入力して記録再生し、得られた複数の再生出力の内の記録確認用の映像・音声データ出力を上記第２の映像・音声データ記録再生手段に入力して記録再生し、得られた複数の再生出力の内の記録確認用の映像・音声データを監視用に用いることを特徴とする映像・音声データ送出装置。
【請求項６】
上記制御手段は、上記切り換え手段による上記第１の映像・音声データ記録再生手段の所定のチャンネルからこれに対応する上記第２の映像・音声データ記録再生手段の所定のチャンネルへの切り換えを制御することを特徴とする請求項５記載の映像・音声データ送出装置。
【請求項７】
上記制御手段は、上記切り換え手段による上記第１の映像・音声データ記録再生手段から上記第２の映像・音声データ記録再生手段への切り換えを制御することを特徴とする請求項５記載の映像・音声データ送出装置。
【請求項８】
上記制御手段は、上記切り換え手段によるチャンネル毎の切り換えと上記映像・音声データ記録再生手段毎の切り換えを制御することを特徴とする請求項５記載の映像・音声データ送出装置。
【発明の詳細な説明】
【０００１】
【発明の属する技術分野】
本発明は、ディジタル形式の映像・音声データを記録し、記録した映像・音声データを再生する映像・音声データ送出装置に関する。
【０００２】
【従来の技術】
従来例えば放送局におけるコマーシャル映像の送出システムにおいては、送出の信頼性を高めるために映像・音声データ記録再生装置を二重化した映像・音声データ送出装置が適用されることが多い。
【０００３】
近年多チャンネルの送出を１システムで行なおうという要求が高まっているが、この場合も映像・音声データ記録再生装置を２つ使った図９に示すような二重化構成が望まれることとなる。
【０００４】
この映像・音声データ送出装置７０は、二組の映像・音声データ記録再生装置（以下、Ａ・Ｖデータ記録再生装置という）７１及び７２と、その出力のいずれかを選択して出力するスイッチャー７３と、これらを制御するシステムコントローラ７４とから基本的に構成される。また放送局において信号の入出力が局内同期信号やタイムコードに同期してなされることが必要である場合には同期信号・タイムコード供給装置７５も設けられている。
【０００５】
Ａ・Ｖデータ記録再生装置７１は、現用系として使用され、ベースバンドの映像・音声データを記録再生する。また、Ａ・Ｖデータ記録再生装置７２も、ベースバンドの映像・音声データを記録再生するが、予備用として使用される。すなわち、Ａ・Ｖデータ記録再生装置７１、及びＡ・Ｖデータ記録再生装置７２は、現用、及び予備用として設けられた全く同等の装置である。Ａ・Ｖデータ記録再生装置７１とＡ・Ｖデータ記録再生装置７２には、それぞれ一系統の入力として同一の映像・音声データＤINが供給される。これらの映像・音声データＤINは、Ａ・Ｖデータ記録再生装置７１とＡ・Ｖデータ記録再生装置７２にそれぞれ備えられるデータ記録装置となる例えばハードディスク装置等に蓄積される。
【０００６】
そして、Ａ・Ｖデータ記録再生装置７１は、上記データ記録装置に蓄積された映像・音声データを再生し、４つの再生出力ＤOUT1a，ＤOUT2a，ＤOUT3a及びＤOUT4aをスイッチャー７３に供給する。また、Ａ・Ｖデータ記録再生装置７２も、上記データ記録装置に蓄積された映像・音声データを再生し、４つの再生出力ＤOUT1b，ＤOUT2b，ＤOUT3b及びＤOUT4bをスイッチャー７３に供給する。ここで、上記再生出力ＤOUT1aに対する上記再生出力ＤOUT1bは同一の映像・音声データである。上記再生出力ＤOUT2aに対する上記再生出力ＤOUT2b、上記再生出力ＤOUT3aに対する上記再生出力ＤOUT3b、上記再生出力ＤOUT4aに対する上記再生出力ＤOUT4bもそれぞれのチャンネルで同一の映像・音声データである。
【０００７】
スイッチャー７３は、通常、現用系であるＡ・Ｖデータ記録再生装置７１の再生出力ＤOUT1a，ＤOUT2a，ＤOUT3a及びＤOUT4aをスイッチャー出力ＤOUT1，ＤOUT2，ＤOUT3及びＤOUT4としているが、上記再生出力ＤOUT1a，ＤOUT2a，ＤOUT3a及びＤOUT4aに異常があった場合には直ちに予備用であるＡ・Ｖデータ記録再生装置７２の再生出力ＤOUT1b，ＤOUT2b，ＤOUT3b及びＤOUT4bをスイッチャー出力ＤOUT1，ＤOUT2，ＤOUT3及びＤOUT4とする。
【０００８】
さらに、Ａ・Ｖデータ記録再生装置７１、及びＡ・Ｖデータ記録再生装置７２は、上記入力映像・音声データＤINを直ちに再生して、記録が正常に行われたか否かを確認するための記録確認用の再生出力ＤOUT5a、及びＤOUT5bをそれぞれ監視用のモニタへ供給する。
【０００９】
システムコントローラ７４は、Ａ・Ｖデータ記録再生装置７１、Ａ・Ｖデータ記録再生装置７２、及びスイッチャー７３を制御信号ＳC1、制御信号ＳC2、及び制御信号ＳC3によって制御する。
【００１０】
同期信号・タイムコード供給装置７５は、放送局において信号の入出力が局内同期信号やタイムコードに同期してなされることが必要である場合に、Ａ・Ｖデータ記録再生装置７１、Ａ・Ｖデータ記録再生装置７２、及びスイッチャー７３に局内同期信号Ｃ、及びタイムコードＴを供給する。また、スイッチャー７３が局内同期信号の入力を必要とする場合は、同期信号・タイムコード供給装置７５は、スイッチャー７３への局内同期信号を供給する。
【００１１】
【発明が解決しようとする課題】
ところで、上述したような従来の映像・音声データ送出装置７０では、全く同等のＡ・Ｖデータ記録再生装置７１、及びＡ・Ｖデータ記録再生装置７２を用いているため、上記ハードディスク装置のようなデータ記録装置の記録容量も二重化しない場合の２倍必要になり、高コストとなる。
【００１２】
本発明は、上記実情に鑑みてなされたものであり、信頼生の高い送出を保証するために必要とされる映像・音声データ記録再生装置の二重化構成を、可能な限り経済的に実現することのできる映像・音声データ送出装置の提供を目的とする。
【００１３】
【課題を解決するための手段】
本発明に係る映像・音声データ送出装置は、上記課題を解決するために、現用系と予備系の二組の映像・音声データ記録再生手段を設け、現用系の第１の映像・音声データ記録再生手段でベースバンド映像・音声データを記録再生し、予備系の第２の映像・音声データ記録再生手段でデータ圧縮した映像・音声データの記録再生を行うこととし、上記映像・音声データの入力を現用系の第１の映像・音声データ記録再生手段にのみ行ない、その記録確認用の出力を予備系の第２の映像・音声データ記録再生手段に入力し、予備系の記録確認を行なうことで現用、予備双方の記録確認を行なう。
【００１４】
この場合、現用系の第１の映像・音声データ記録再生手段に異常があって予備系の第２の映像・音声データ記録再生手段が使用される時には出力される映像・音声データの品質が劣化することになるが、例えば３〜４分の１程度にデータ圧縮を行った場合でも映像・音声データの劣化は、従来のＶＴＲのヘッドの異常による劣化を補間処理した場合と同程度であり、大きな障害とはならない。また、予備系の第２の映像・音声データ記録再生手段が使用されるのは現用系の第１の映像・音声データ記録再生手段に異常が生じてからそれが回復されるまでの時間に限られ、時間率としては低いものであるため、コストとの兼ね合いで圧縮率を定めれば総合的に許容される水準のシステムを実現することが可能となる。
【００１５】
また、本発明に係る映像・音声データ送出装置は、上記課題を解決するために、現用系の第１の映像・音声データ記録再生手段においても低圧縮率のデータ圧縮を適用することとし、予備系の第２の映像・音声データ記録再生手段においては現用系よりも高い圧縮率のデータ圧縮を適用している。そして、上記映像・音声データの入力を現用系の第１の映像・音声データ記録再生手段にのみ行ない、その記録確認用の出力を予備系の第２の映像・音声データ記録再生手段に入力し、予備系の記録確認を行なうことで現用、予備双方の記録確認を行なう。
【００１７】
【発明の実施の形態】
以下、本発明に係る映像・音声データ送出装置のいくつかの実施の形態について説明する。
【００１８】
先ず、第１の実施の形態について説明する。第１の実施の形態は、図１に示すような映像・音声データ送出装置１である。この映像・音声データ送出装置１は、基本的に二組の映像・音声データ記録再生装置（以下、Ａ・Ｖデータ記録再生装置という）２及び３と、その出力のいずれかを選択して出力するスイッチャー４と、これらを制御するシステムコントローラ５とから構成される。また放送局において信号の入出力が局内同期信号やタイムコードに同期してなされることが必要である場合には同期信号・タイムコード供給装置６も設けられている。
【００１９】
Ａ・Ｖデータ記録再生装置２は、現用系として使用され、複数のベースバンドの映像・音声データを独立に記録再生する。これに対して、Ａ・Ｖデータ記録再生装置３は、予備系として使用され、複数の映像・音声データを圧縮／伸長して独立に記録再生する。
【００２０】
スイッチャー４は、Ａ・Ｖデータ記録再生装置２とＡ・Ｖデータ記録再生装置３から再生出力される複数の独立した同一の映像・音声データを切り換える。
【００２１】
システムコントローラ５は、Ａ・Ｖデータ記録再生装置２とＡ・Ｖデータ記録再生装置３に複数の独立した同一の映像・音声データを記録再生させると共に、Ａ・Ｖデータ記録再生装置２とＡ・Ｖデータ記録再生装置３から同時に再生される同一の映像・音声データのいずれかをスイッチャー４に切り換えさせる。
【００２２】
Ａ・Ｖデータ記録再生装置２とＡ・Ｖデータ記録再生装置３には、それぞれ一系統の入力として同一の映像・音声データＤINが供給される。Ａ・Ｖデータ記録再生装置２に供給された映像・音声データＤINは、ベースバンドで後述するデータ記録装置となる例えばハードディスク装置等に蓄積される。
一方、Ａ・Ｖデータ記録再生装置３に供給された映像・音声データＤINは、圧縮されて上記データ記録装置となる例えばハードディスク装置等に蓄積される。
【００２３】
そして、Ａ・Ｖデータ記録再生装置２は、上記データ記録装置に蓄積された映像・音声データを再生し、４つの再生出力ＤOUT1a，ＤOUT2a，ＤOUT3a及びＤOUT4aをスイッチャー４に供給する。
【００２４】
一方、Ａ・Ｖデータ記録再生装置３は、上記データ記録装置に蓄積された圧縮映像・音声データを読み出してから伸長し、４つの再生出力ｄOUT1b，ｄOUT2b，ｄOUT3b及びｄOUT4bをスイッチャー４に供給する。
ここで、上記再生出力ｄOUT1bは上記再生出力ＤOUT1aに対応する映像・音声データである。また、上記再生出力ｄOUT2bは上記再生出力ＤOUT2aに対応する。以下、上記再生出力ｄOUT3bは上記再生出力ＤOUT3aに、上記再生出力ｄOUT4bは上記再生出力ＤOUT4aに対応する。
【００２５】
スイッチャー４は、通常、現用系であるＡ・Ｖデータ記録再生装置２の再生出力ＤOUT1a，ＤOUT2a，ＤOUT3a及びＤOUT4aをスイッチャー出力ＤOUT1，ＤOUT2，ＤOUT3及びＤOUT4としているが、上記再生出力ＤOUT1a，ＤOUT2a，ＤOUT3a及びＤOUT4aに異常があった場合には直ちに予備用であるＡ・Ｖデータ記録再生装置３の再生出力ｄOUT1b，ｄOUT2b，ｄOUT3b及びｄOUT4bをスイッチャー出力ＤOUT1，ＤOUT2，ＤOUT3及びＤOUT4とする。
【００２６】
さらに、Ａ・Ｖデータ記録再生装置２、及びＡ・Ｖデータ記録再生装置３は、上記入力映像・音声データＤINを直ちに再生して、記録が正常に行われたか否かを確認するための記録確認用の再生出力ＤOUT5a、及びＤOUT5bをそれぞれ監視用のモニタへ供給する。
【００２７】
システムコントローラ５は、Ａ・Ｖデータ記録再生装置２、Ａ・Ｖデータ記録再生装置３、及びスイッチャー４を制御信号ＳC1、制御信号ＳC2、及び制御信号ＳC3によって制御する。
【００２８】
同期信号・タイムコード供給装置６は、放送局において信号の入出力が局内同期信号やタイムコードに同期してなされることが必要である場合に、Ａ・Ｖデータ記録再生装置２、Ａ・Ｖデータ記録再生装置３、及びスイッチャー４に局内同期信号Ｃ、及びタイムコードＴを供給する。また、スイッチャー４が局内同期信号の入力を必要とする場合は、同期信号・タイムコード供給装置６は、スイッチャー４への局内同期信号を供給する。
【００２９】
Ａ・Ｖデータ記録再生装置２及びＡ・Ｖデータ記録再生装置３は基本的には図２に示すような構成となるが、その要部を図３、及び図４のように異ならせる。先ず、Ａ・Ｖデータ記録再生装置２は、４個の映像・音声データ入出力制御回路（Ａ・Ｖデータ入出力制御回路）１０1，１０2，１０3及び１０4、記録再生制御回路１１、同期／非同期変換回路１２、データ記録再生装置１３、同期信号インターフェース回路（同期信号ＩＦ回路）１４、タイムコードインターフェース回路（ＴＣＩＦ回路）１５及び多重化制御インターフェース回路（多重化ＩＦ回路１６から構成される。
【００３０】
このＡ・Ｖデータ記録再生装置２において、Ａ・Ｖデータ入出力制御回路１０1，１０2，１０3及び１０4、及び同期／非同期変換回路１２はデータバス１７を介して相互に接続され、記録再生制御回路１１、Ａ・Ｖデータ入出力制御回路１０1，１０2，１０3及び１０4、及びデータ記録装置１３は、制御バス１８を介して相互に接続されている。
【００３１】
また、Ａ・Ｖデータ入出力制御回路１０1，１０2，１０3及び１０4には、同期信号ＩＦ回路１４を介して基準同期信号Ｃが入力され、ＴＣＩＦ回路１５を介して映像・音声データの時刻を示し、同期確立のために用いられるタイムコードＴが入力され、多重化ＩＦ回路１６を介して該Ａ・Ｖデータ入出力制御回路１０1，１０2，１０3及び１０4の動作を一括して制御する一括制御信号ＳCが入力される。
【００３２】
このＡ・Ｖデータ記録再生装置２においては、外部から入力される基準同期信号Ｃ及びタイムコードＴ等に同期して、データバス１７上の映像・音声データの転送が可能であり、また、Ａ・Ｖデータ入出力制御回路１０1，１０2，１０3及び１０4を介して編集装置等の上位応用システムを接続して、複数の映像・音声データに対する一括した入出力制御が可能になっている。
これらの構成部分によりＡ・Ｖデータ記録再生装置２は、主に映像・音声データに係る入出力制御と記録再生制御の負荷を分散し、多チャンネルの映像・音声データを同時に入出力し、記録再生する。
【００３３】
図３は、Ａ・Ｖデータ入出力制御回路１０i（ｉは整数；１≦ｉ≦４）の構成を示す図である。
例えばＡ・Ｖデータ出力制御回路１０1は、図３に示すように、マイクロプロセッサ（ＣＰＵ）２０、メモリ２１及びデータバスインターフェース回路（データバスＩＦ）２２から構成される。
【００３４】
Ａ・Ｖデータ入出力制御回路１０iにおいて、ＣＰＵ２０は、例えばプログラムを記憶したＲＯＭを内蔵したワンチップマイクロプロセッサ等から構成される。また、ＣＰＵ２０は、例えば外部機器との間で制御バス１８を介して制御信号ＳOを送受信し、記録再生制御回路１１との間で制御バス１８を介して制御信号を送受信する。
【００３５】
また、ＣＰＵ２０は、記録再生制御回路１１から入力される制御信号と、例えば外部機器から入力される制御信号ＳOと、必要に応じて同期信号ＩＦ１４、ＴＣＩＦ回路１５及び多重化ＩＦ回路１６それぞれを介して入力される基準同期信号Ｃ、タイムコードＴ及び一括制御信号ＳCとに基づいて、メモリ２１及びデータバスＩＦ２２の動作を制御し、例えば外部機器、データ記録装置１３、及びスイッチャー４の間の映像・音声データの入出力を制御する。
【００３６】
データバスＩＦ２２は、ＣＰＵ２０の制御に従って、データ記録装置１３との間でデータバス１７を介して映像・音声データを入出力する。つまり、メモリ２１にバッファリングされている映像・音声データを同期／非同期変換回路１２を介してデータ記録装置１３に対して出力し、データ記録装置１３から入力された映像・音声データをメモリ２１に対して出力する。
【００３７】
メモリ２１は、ＣＰＵ２０の制御に従って、例えば外部機器から入力される映像・音声データＤINをバッファリングし、データバスＩＦを介してデータ記録装置１３に対して出力する。
【００３８】
また、メモリ２１は、データバスＩＦ２２を介してデータ記録装置１３から入力される映像・音声データをバッファリングし、再生出力ＤOUTiとしてスイッチャー４に対して出力する。
再び、図２を参照して、Ａ・Ｖデータ入出力制御回路１０i以外のＡ・Ｖデータ記録再生装置２の各構成部分を説明する。
記録再生制御回路１１は、制御バス１８を介してＡ・Ｖデータ入出力制御回路１０i、同期／非同期変換回路１２及びデータ記録装置１３との間で制御信号を送受信し、これらの構成部分の動作を制御する。
【００３９】
また、記録再生制御回路１１は、データ記録装置１３の記録領域を管理し、Ａ・Ｖデータ入出力制御回路１０iからデータ記録装置１３に対する映像・音声データの記録要求信号を受けた場合に、映像・音声データを記録するデータ記録装置１３の記録領域を定め、Ａ・Ｖデータ入出力制御回路１０iに通知し、また、Ａ・Ｖデータ入出力制御回路１０iからデータ記録装置１３に記録されている映像・音声データの再生が要求された場合には、再生する映像・音声データが記録されているデータ記録装置１３の記録領域を検索し、見つけ出した記録領域をＡ・Ｖデータ入出力制御回路１０iに通知する。
【００４０】
同期／非同期変換回路１２は、データバス１７上で基準同期信号Ｃ或いはタイムコードＴに同期したデータ転送を行う場合に用いられ、データバス１７を介してＡ・Ｖデータ入出力制御回路１０iから、これらの信号に同期して入力された映像・音声データを非同期にデータ記録装置１３に記録させ、データ記録装置１３が非同期に再生した映像・音声データを、これらの信号に同期してデータバス１７を介してＡ・Ｖデータ入出力制御回路１０iに対して出力する。
【００４１】
データ記録装置１３は、制御バス１８を介した記録再生制御回路１１の制御に従って、例えばハードディスク、光磁気ディスク等の記録媒体に、データバス１７及び同期／非同期変換回路１２を介してＡ・Ｖデータ入出力制御回路１０iから入力される映像・音声データを記録し、また、記録した映像・音声データを再生し、同期／非同期変換回路１２及びデータバス１７を介してＡ・Ｖデータ入出力制御回路１０iに対して出力する。
【００４２】
次に、Ａ・Ｖデータ記録再生装置３の構成について説明するが、基本的には図２に示した構成と同じである。異なるのは、Ａ・Ｖデータ入出力制御回路が図４に示すような構成となる点である。
【００４３】
すなわち、Ａ・Ｖデータ記録再生装置３のＡ・Ｖデータ入出力制御回路３０iは、図３に示したメモリ２１と入出力端との間に圧縮符号化器２３及び伸長復号器２４を付加した構成になっている。
【００４４】
圧縮符号化器２３は、例えば外部機器から入力された非圧縮の映像・音声データＤINを、ＭＰＥＧ等の圧縮符号化方式で圧縮符号化し、メモリ２１に対して出力する。
【００４５】
メモリ２１は、ＣＰＵ２０の制御に従って、圧縮符号化器２３からの圧縮映像・音声データをバッファリングし、データバスＩＦを介してデータ記録装置１３に対して出力する。このため、データ記録再生装置１３は、圧縮された映像・音声データを記録すればよいので、記録容量を削減することができる。
また、メモリ２１は、データバスＩＦ２２を介してデータ記録装置１３から入力される上記圧縮映像・音声データをバッファリングし、伸長復号器２４に対して出力する。
【００４６】
伸長復号器２４は、上記圧縮映像・音声データを伸長復号し、映像・音声データｄOUTiとしてスイッチャー４に出力する。
以上のように、映像・音声データ送出装置１は、Ａ・Ｖデータ記録再生装置３のＡ・Ｖ入出力制御回路４０iに圧縮符号化器２３を設けてデータ記録装置１３に圧縮映像・音声データを記録するので、データ記録装置１３の記録容量を削減することができる。
【００４７】
この場合、現用系となるＡ・Ｖデータ記録再生装置２に異常があって予備系となるＡ・Ｖデータ記録再生装置３が使用される時には、スイッチャー４によって出力される映像・音声データの品質が圧縮により劣化することになるが、例えば３〜４分の１程度にデータ圧縮を行った場合でも映像・音声データの劣化は、ＶＴＲのヘッドの異常による劣化を補間処理した場合と同程度であり、大きな障害とはならない。
【００４８】
また、予備系のＡ・Ｖデータ記録再生装置３が使用されるのは現用系のＡ・Ｖデータ記録再生装置２に異常が生じてからそれが回復されるまでの時間に限られ、時間率としては低いものであるため、コストとの兼ね合いで圧縮率を定めれば総合的に許容される水準のシステムを実現することが可能となる。
【００４９】
すなわち、この映像・音声データ送出装置１は、予備系となるＡ・Ｖデータ記録再生装置３使用時の実用上ほとんど問題のない映像・音声データ品質の若干の劣化と引換に、このＡ・Ｖデータ記録再生装置３で必要とされる記録容量を現用系のＡ・Ｖデータ記録再生装置２で必要とされる記録容量に較べて削減することが可能となり、それだけシステム全体のコストの低減を図ることができる。
【００５０】
また、予備系の記録容量の削減は、予備系のデータ記録装置で使用する例えばハードディスク等障害が生じ易い記録デバイスの数量の削減につながるため、予備系の信頼性は現用系の信頼性より高まることになり、システム全体として現用系、予備系が共に異常となる確立が下がるという点で信頼性が高まる。
【００５１】
なお、この映像・音声データ送出装置１では、Ａ・Ｖデータ記録再生装置２の再生出力ＤOUT1a，ＤOUT2a，ＤOUT3a及びＤOUT4aに異常があった場合には直ちに予備用であるＡ・Ｖデータ記録再生装置３の再生出力ｄOUT1b，ｄOUT2b，ｄOUT3b及びｄOUT4bを、スイッチャー４の出力ＤOUT1，ＤOUT2，ＤOUT3及びＤOUT4とするようにシステムコントローラ５がその切り換えを制御している。これに対して、Ａ・Ｖデータ記録再生装置２の異常となったチャンネル再生出力に相当するＡ・Ｖデータ記録再生装置３のチャンネル再生出力だけを切り換え出力するようにしてもよい。つまり、Ａ・Ｖデータ記録再生装置２全体をＡ・Ｖデータ記録再生装置３に切り換えるだけではなく、異常チャンネルだけを切り換えるようにしてもよい。
【００５２】
このような動作について図５のフローチャートを参照しながら説明する。
先ず、ユーザの操作に応じてシステムコントローラ５は、ステップＳ１に示すように、現用系のＡ・Ｖデータ記録再生装置２と予備用系のＡ・Ｖデータ記録再生装置３に再生命令を出す。
【００５３】
この再生命令により現用系のＡ・Ｖデータ記録再生装置２と予備用系のＡ・Ｖデータ記録再生装置３は、ステップＳ２に示すように、再生を実行する。
【００５４】
ここで、システムコントローラ５は、スイッチャー４を制御し、現用系のＡ・Ｖデータ記録再生装置２からの再生出力ＤOUT1a，ＤOUT2a，ＤOUT3a及びＤOUT4aをスイッチャー出力ＤOUT1，ＤOUT2，ＤOUT3及びＤOUT4としている。
【００５５】
そして、システムコントローラ５は、ステップＳ３に示すように、現用Ａ・Ｖデータ記録再生装置２からチャンネル毎の再生完了通知を待つ。なお、このステップＳ３以降の各ステップは、チャンネル毎の一タイトル（ファイル）毎に繰り返されることになるが、ここではチャンネル毎の一タイトル毎に終了するという仮定で説明を行う。
【００５６】
システムコントローラ５でこの再生完了通知を受けたか否かをステップＳ４で判定し、ＹＥＳすなわち再生完了通知を受けたと判定するとステップＳ５に進む。このステップＳ４でＮＯすなわち完了通知を受けていないと判定するとステップＳ６に進む。
【００５７】
ステップＳ５では、ステップＳ４でのＹＥＳの判定を受けて、正常終了がシステムコントローラ５で確認されたか否かを判定する。ここでＹＥＳすなわち正常終了が確認されたと判定すると一チャンネルの一タイトルについてのフローを終了する。また、ＮＯすなわち正常終了が確認されないと判定するとステップＳ６に進む。
【００５８】
ステップＳ６では、ステップＳ４、ステップＳ５でのＮＯの判定を受けて、システムコントローラ５が現用系Ａ・Ｖデータ記録再生装置２全体が故障なのか否かを判定する。ここでＹＥＳすなわち現用系Ａ・Ｖデータ記録再生装置２全体が故障であると判定すると、ステップＳ７に進み、システムコントローラ５はスイッチャー４の切り換えを制御し、予備系Ａ・Ｖデータ記録再生装置３からの再生出力ｄOUT1b，ｄOUT2b，ｄOUT3b及びｄOUT4bをスイッチャー出力ＤOUT1，ＤOUT2，ＤOUT3及びＤOUT4とする。現用系Ａ・Ｖデータ記録再生装置２全体が故障である場合というのは、主にＡ・Ｖデータ記録再生装置２が備えているデータ記録装置１３が故障したような場合である。
【００５９】
これに対して、ステップＳ６でＮＯすなわち現用Ａ・Ｖデータ記録再生装置全体の故障でないとシステムコントローラ５が判定した場合にはステップＳ９に進む。この場合、システムコントローラ５は、１又は複数のチャンネルからの再生出力が異常となっていると見なす。１又は複数のチャンネルからの再生出力が異常であるというのは、１又は複数のＡ・Ｖデータ入出力制御回路１０iが故障である場合が主である。
【００６０】
そして、システムコントローラ５は、ステップＳ１０に示すように、予備用Ａ・Ｖデータ記録再生装置３から故障に該当する１又は複数のチャンネル単位のＡ・Ｖデータをスイッチャー４の切り換えにより出力させる。
【００６１】
最後にシステムコントローラ５は、ステップＳ８に示すように、現用Ａ・Ｖデータ記録再生装置が修復したか否かを判定し、修復を確認すると一チャンネルの一タイトルについてのフローを終了する。このステップＳ８の判定で修復終了が確認されるまでステップＳ７又はステップＳ１０に示したスイッチャー４での切り換え状態が継続される。
【００６２】
また、この映像・音声データ送出装置１では、図６及び図７のフローチャートに示すような動作によりＡ・Ｖデータ記録再生装置２の異常となったチャンネル再生出力に相当するＡ・Ｖデータ記録再生装置３のチャンネル再生出力だけを切り換え出力するようにしてもよい。
【００６３】
先ず、システムコントローラ５は、ステップＳ１１に示すように、ユーザの操作内容にしたがって初期設定を行う。次に、システムコントローラ５は、ステップＳ１２に示すように、現用系Ａ・Ｖデータ記録再生装置２及び予備系Ａ・Ｖデータ記録再生装置３に１チャンネルの１タイトルに対して再生命令を出す。
【００６４】
この再生命令により現用系のＡ・Ｖデータ記録再生装置２と予備用系のＡ・Ｖデータ記録再生装置３は、ステップＳ１３に示すように、１チャンネルの１タイトル再生を実行する。
【００６５】
そして、システムコントローラ５は、ステップＳ１４に示すように、現用Ａ・Ｖデータ記録再生装置２から１チャンネルの１タイトルの再生完了通知を待つ。
システムコントローラ５でこの再生完了通知を受けたか否かをステップＳ１５で判定し、ＹＥＳすなわち再生完了通知を受けたと判定するとステップＳ１６に進む。このステップＳ１５でＮＯすなわち完了通知を受けていないと判定すると図７のステップＳ１７に進む。
【００６６】
ステップＳ１６では、ステップＳ１５でのＹＥＳの判定を受けて、正常終了がシステムコントローラ５で確認されたか否かを判定する。ここでＹＥＳすなわち正常終了が確認されたと判定すると一チャンネルの一タイトルについてのフローを終了する。また、ＮＯすなわち正常終了が確認されないと判定するとステップ図７のステップＳ１７に進む。
ステップＳ１７において、システムコントローラ５は、現用Ａ・Ｖデータ記録再生装置２が１チャンネル再生をできないと判断し、ステップＳ１８にてスイッチャー４を予備用Ａ・Ｖデータ記録再生装置３の対応１チャンネルに切り換える。
【００６７】
そして、システムコントローラ５は、ステップＳ１９に示すように、予備用Ａ・Ｖデータ記録再生装置３から再生完了通知を待つ。
【００６８】
システムコントローラ５でこの再生完了通知を受けたか否かをステップＳ２０で判定し、ＹＥＳすなわち再生完了通知を受けたと判定するとステップＳ２１に進む。このステップＳ２０でＮＯすなわち完了通知を受けていないと判定するとステップＳ２４に進む。
ステップＳ２１では、ステップＳ２０でのＹＥＳの判定を受けて、正常終了がシステムコントローラ５で確認されたか否かを判定する。ここでＹＥＳすなわち正常終了が確認されたと判定すると一チャンネルの一タイトルについてのフローを終了する。また、ＮＯすなわち正常終了が確認されないと判定するとステップＳ２４に進む。
【００６９】
ステップＳ２２でシステムコントローラ５は現用Ａ・Ｖデータ記録再生装置２が修復したか否かを判定し、修復を確認するとステップＳ２３に進む。一方、修復を確認しないとステップＳ１９に戻る。
【００７０】
ステップＳ２３では、ステップＳ２２での判定を受けて、スイッチャー４を現用Ａ・Ｖデータ記録再生装置２の１チャンネル再生に切り換える。
【００７１】
ステップＳ２４では、ステップＳ２０、ステップＳ２１での判定を受けて、予備用のＡ・Ｖデータ記録再生装置３も故障したものとし、システムダウンを判断する。そして、回復作業後ステップＳ１１の初期設定に戻る。
【００７２】
なお、この映像・音声データ送出装置１では、現用系Ａ・Ｖデータ記録再生２に、映像・音声データに対する圧縮／伸長機能を持たせてもよい。すなわち、この変形例は、複数の映像・音声データを第１の圧縮／伸長率にて独立に記録再生する現用系Ａ・Ｖデータ記録再生装置２と、上記複数の映像・音声データを上記第１の圧縮／伸長率よりも大きな圧縮／伸長率にて独立に記録再生する予備系のＡ・Ｖデータ記録再生装置３と、スイッチャー４と、システムコントローラ５とを備えて成る。
【００７３】
この変形例のＡ・Ｖデータ記録再生装置２のＡ・Ｖデータ入出力制御回路１０iの構成も図４のようになる。他の構成は同一であるので説明を省略する。
したがって、この変形例は、Ａ・Ｖデータ記録再生装置２及びＡ・Ｖデータ記録再生装置３で共に、記録容量を削減することができるので、実用上ほとんど問題のない映像・音声データ品質の若干の劣化と引換に、システム全体のコストの低減を図ることができる。
【００７４】
次に、第２の実施の形態について説明する。この第２の実施の形態は、図８に示すような映像・音声データ送出装置３５である。この映像・音声データ送出装置３５も、基本的に二組のＡ・Ｖデータ記録再生装置２及び３と、その出力のいずれかを選択して出力するスイッチャー４と、これらを制御するシステムコントローラ５とから構成される。また、同期信号・タイムコード供給装置６も備えている。
【００７５】
上記各部の構成及び動作は基本的に上記第１の実施の形態及びその変形例を適用することができるのでここでは説明を省略する。特に、この第２の実施の形態が、上記第１の実施の形態と異なるのは、現用系のＡ・Ｖデータ記録再生装置２にのみ映像・音声データＤINを入力し、予備系のＡ・Ｖデータ記録再生装置３には記録確認用の映像・音声データＤOUT5aを入力することである。
【００７６】
そして、予備系のＡ・Ｖデータ記録再生装置３の記録確認用の映像・音声データｄOUT5bを監視用モニタに供給して、現用系のＡ・Ｖデータ記録再生装置２及び予備系のＡ・Ｖデータ記録再生装置３の記録確認に対する二重化システムの記録確認作業を効率化している。
【００７７】
すなわち、この映像・音声データ送出装置３５は、現用系のＡ・Ｖデータ記録再生装置２にのみ複数の映像・音声データＤINを独立に入力して記録再生し、得られた複数の再生出力の内の記録確認用の映像・音声データ出力ＤOUT5aを予備系のＡ・Ｖデータ記録再生装置３に入力して記録再生し、得られた複数の再生出力の内の記録確認用の映像・音声データｄOUT5bを監視用に用いている。
【００７８】
したがって、この映像・音声データ送出装置３５によれば、予備系のＡ・Ｖデータ記録再生装置３のみで、現用系、予備系の記録確認が可能であり、業務効率の面で好ましい。また、予備系のＡ・Ｖデータ記録再生装置３の再生出力となる映像・音声データの品質の確認も行えるため、予備系の圧縮率の設定等に反映させて、常に実用上問題のない状態でのシステム運用を可能にする。
【００７９】
【発明の効果】
本発明に係る映像・音声データ送出装置は、現用系と予備系の二組の映像・音声データ記録再生手段を設け、現用系の第１の映像・音声データ記録再生手段でベースバンド映像・音声データを記録再生し、予備系の第２の映像・音声データ記録再生手段でデータ圧縮した映像・音声データの記録再生を行うこととし、上記映像・音声データの入力を現用系の第１の映像・音声データ記録再生手段にのみ行ない、その記録確認用の出力を予備系の第２の映像・音声データ記録再生手段に入力し、予備系の記録確認を行なうことで現用、予備双方の記録確認を行なことができる。このため、記録確認の業務の効率を上げることができる。また、予備系の第２の映像・音声データ記録再生手段の再生出力となる映像・音声データの品質の確認も行えるため、予備系の圧縮率の設定等に反映させて、常に実用上問題のない状態でのシステム運用を可能にする。もちろん、予備系の第２の映像・音声データ記録手段で必要となる記録容量を削減する。このためシステム全体のコストの低減を図ることができる。
【００８０】
また、予備系の記録容量の削減は、予備系のデータ記録装置で使用する例えばハードディスク等障害が生じ易い記録デバイスの数量の削減につながるため、予備系の信頼性は現用系の信頼性より高まることになり、システム全体として現用系、予備系が共に異常となる確立が下がるという点で信頼性が高まる。
【００８１】
また、本発明に係る映像・音声データ送出装置は、現用系の第１の映像・音声データ記録再生手段においても低圧縮率のデータ圧縮を適用することとし、予備系の第２の映像・音声データ記録再生手段においては現用系よりも高い圧縮率のデータ圧縮を適用しているので、予備系の第２の映像・音声データ記録手段で必要となる記録容量の他、現用系の第１の映像・音声データ記録手段で必要となる記録容量も削減でき、さらにシステム全体のコストの低減を図ることができる。また、上記映像・音声データの入力を現用系の第１の映像・音声データ記録再生手段にのみ行ない、その記録確認用の出力を予備系の第２の映像・音声データ記録再生手段に入力し、予備系の記録確認を行なうことで現用、予備双方の記録確認を行なことができる。このため、記録確認の業務の効率を上げることができる。また、予備系の第２の映像・音声データ記録再生手段の再生出力となる映像・音声データの品質の確認も行えるため、予備系の圧縮率の設定等に反映させて、常に実用上問題のない状態でのシステム運用を可能にする。
【図面の簡単な説明】
【図１】本発明に係る映像・音声データ送出装置の第１の実施の形態のブロック図である。
【図２】上記第１の実施の形態に備えられるＡ・Ｖデータ記録再生装置の内部構成を示すブロック図である。
【図３】上記Ａ・Ｖデータ記録再生装置に備えられるＡ・Ｖデータ入出力制御回路の内部構成を示すブロック図である。
【図４】  上記Ａ・Ｖデータ記録再生装置に備えられる、圧縮／伸長機能を備えたＡ・Ｖデータ入出力制御回路の内部構成を示すブロック図である。
【図５】上記第１の実施の形態に、Ａ・Ｖデータ記録再生装置全体を他のＡ・Ｖデータ記録再生装置に切り換えるだけではなく、異常チャンネルだけを切り換える動作を行わせる場合のフローチャートである。
【図６】上記第１の実施の形態に、Ａ・Ｖデータ記録再生装置の異常となったチャンネル再生出力に相当する他のＡ・Ｖデータ記録再生装置のチャンネル再生出力だけを切り換え出力させる動作の一部を示すフローチャートである。
【図７】上記第１の実施の形態に、Ａ・Ｖデータ記録再生装置の異常となったチャンネル再生出力に相当する他のＡ・Ｖデータ記録再生装置のチャンネル再生出力だけを切り換え出力させる動作の残部を示すフローチャートである。
【図８】本発明に係る映像・音声データ送出装置の第２の実施の形態のブロック図である。
【図９】従来の映像・音声データ送出装置のブロック図である。
【符号の説明】
１  映像・音声データ送出装置、２  現用系映像・音声データ記録再生装置、３  予備系映像・音声データ記録再生装置、４  スイッチャー、５  システムコントローラ、６  同期信号・タイムコード供給装置、１０1，１０2，１０3及び１０4  映像・音声データ入出力制御回路、１３  データ記録装置
【図１】
0003752726.tif 000002
【図２】
0003752726.tif 000003
【図３】
0003752726.tif 000004
【図４】
0003752726.tif 000005
【図５】
0003752726.tif 000006
【図６】
0003752726.tif 000007
【図７】
0003752726.tif 000008
【図８】
0003752726.tif 000009
【図９】
0003752726.tif 000010